(57)【要約】【課題】  撮影した撮像データの編集に十分な時間を費やせるようにすることで、利用者の満足度を高められると同時に、装置の利用の回転効率性を向上させることで、運用者にとっても売上増大に貢献し得るような分離型画像プリント供給装置を提供すること。【解決手段】  利用者の撮像データを取得する撮影部Ａと、該撮像データへの各種イメージデータの合成等の編集を行う編集部Ｂと、該編集により作成された画像データの印刷を行う印刷部Ｃとに分離した構造を有する分離型画像プリント供給装置において、先に撮影を行った利用者が編集部Ｂでその撮像データを編集し得る編集猶予時間は、新たな利用者が撮影部Ａで撮影を開始しない限り、編集の時間を無制限に延長できる。【選択図】        図１
2005253113.tif 000002
【特許請求の範囲】
【請求項１】
モニターを参照しながら、１又は２以上の撮影手段を用いて撮影した被写体の撮像データに、記憶部から抽出し又は入力手段を用いて作成したタイトルやフレームその他等のイメージデータを合成し、該合成された画像データを印刷手段を用いて印刷・供給するものであって、前記撮像データの取得を行う撮影部と、前記撮像データへの前記イメージデータの合成等の編集を行う編集部と、前記編集された画像データの印刷を行う印刷部とが分離した構造の分離型画像プリント供給装置において、前記撮影部において新たな利用者が撮影を開始しない限り、編集の時間を無制限に延長できることを特徴とする分離型画像プリント供給装置。
【請求項２】
前記撮影部と前記編集部が同一筐体の異なる側部に設けられていることを特徴とする請求項１記載の分離型画像プリント供給装置。
【発明の詳細な説明】
【技術分野】
【０００１】
本発明は、撮影した被写体の撮像データを、タイトルやフレーム等各種のイメージデータと合成し、該合成された画像データをプリント供給するものであって、撮影部と編集部とが分離した構造の分離型画像プリント供給装置であり、娯楽及びビジネス分野で利用される。
【背景技術】
【０００２】
出願人が最初に開発し、「プリクラ」の流行語すら生んだ「プリント倶楽部」の名で知られる画像プリント供給装置以降、様々な業者によって多数の類似機種が製造され、市場に出回っているが、いずれもコイン投入から印刷指令を発するまでの時間（占有時間）に５分以上を要するため、複数の利用者が待機している場面では、その占有時間の長さに嫌気を来たし、利用を断念されてしまい、それによって売上が減少するといった問題点があった。
【０００３】
他方、装置の利用の回転効率を高めるため、撮像データへのイメージデータの書き込みなど編集の時間を短めに設定した場合は、利用回転率の向上により売上には貢献できるものの、編集作業により時間を掛ける傾向の強い利用者にとっては、満足度が低くなってしまうといった問題点があった。
【０００４】
この問題を解消するため、運用者側では、待機時間の限界といわれる４分〜４分３０秒の範囲内で、撮影のための猶予時間と編集のための猶予時間の配分を調整しているが、画像データのオリジナリティーを重視する昨今の傾向から、編集に掛かる時間に長めの配分を希望する利用者が多いため、思ったように調整が出来ないでいるのが実情である。
【０００５】
また、最近では実用新案登録第３０８３２２５号に係る画像印刷装置のように、撮影部と編集部を分離したタイプのものが開発されており、この考案では編集部で先の利用者が編集作業を行っている間は、撮影部で撮影し直したりゲームができるような構造となっているが、本願発明のように編集部における編集猶予時間を延長し得るものではない。
【特許文献１】実用新案登録第３０８３２２５号
【発明の開示】
【発明が解決しようとする課題】
【０００６】
そこで、出願人は、撮影のために約３分の時間を猶予できると同時に、編集にも３分以上の時間を猶予し得るようにすることで、利用者の満足度を高めることができ、且つ、運用者にとっても利用の効率性が高く、売上に貢献し得るような画像プリント供給装置を提供することを課題として、本発明を開発するに至ったものである。
【課題を解決するための手段】
【０００７】
先ず、前記課題を解決するための手段として、請求項１記載の発明では、モニターを参照しながら、１又は２以上の撮影手段を用いて撮影した被写体の撮像データに、記憶部から抽出し又は入力手段を用いて作成したタイトルやフレームその他等のイメージデータを合成し、該合成された画像データを印刷手段を用いて印刷・供給するものであって、前記撮像データの取得を行う撮影部と、前記撮像データへの前記イメージデータの合成等の編集を行う編集部と、前記編集された画像データの印刷を行う印刷部とが分離した構造の分離型画像プリント供給装置において、前記撮影部において新たな利用者が撮影を開始しない限り、編集の時間を無制限に延長できる分離型画像プリント供給装置を提案する。
【０００８】
また、請求項２記載の発明では、請求項１記載の発明において、前記撮影部と前記編集部が同一筐体の異なる側部に設けられている分離型画像プリント供給装置を提案する。
【発明の効果】
【０００９】
本発明によれば、編集猶予時間は予め設定されているが、実質的には最大、新たな利用者が撮影部に入って撮影を開始するまでの時間と予め設定された撮影猶予時間との合計時間分まで延長されることになる。その結果、撮影部に入った新たな利用者が直ちに撮影を開始した場合は、編集のための時間は、予め設定された撮影猶予時間分しか延長されないが、新たな利用者が撮影を開始しない限り、編集時間は無制限に延長されることになる。
【００１０】
また、本発明では、被写体の撮像データを撮影する撮影部と、前記撮像データへのイメージデータの合成その他の編集を行う編集部と、前記合成等により作成された画像データを印刷するための印刷部とがそれぞれ分離されているほか、撮影部と編集部が同一筐体の異なる側部に設けられていることで、撮影が終了した場合は、撮影部を離れ、異なる側部に設けられた編集部で編集が行えるため、各作業の効率性を高め、ひいては、利用の効率性も高めることができる。
【００１１】
このように、本発明によれば、編集のための時間が、予め設定された編集猶予時間の経過後も、新たな利用者による撮影終了までの残余時間分だけ延長されるため、新たな利用者が撮影を開始しない限り、無制限に編集に時間を掛けられるだけでなく、利用回転効率の向上により、運用者側にとっても売上に貢献できるといったメリットがある。
【発明を実施するための最良の形態】
【００１２】
以下、本発明の実施の形態を図面に基づいて説明する。図１は本発明に係る分離型画像プリント供給装置の実施例を示す概略説明図、図２は本発明に係る分離型画像プリント供給装置の内部構造を示すシステム図、図３は撮影部と編集部及び印刷部を同一筐体の異なる側部に設けた場合の実施例を示す概略説明図、図４は撮影部の四方を壁面で囲み、編集部を２ヵ所設けた場合の実施例を示す概略説明図、図５は本発明に係る分離型画像プリント供給装置を用いて撮影処理を行う場合の手順を示すフローチャート、図６は本発明に係る分離型プリント供給装置を用いて編集処理及び印刷処理を行う場合の手順を示すフローチャートである。
【００１３】
本発明に係る分離型画像プリント供給装置は、被写体となる利用者の撮像データを取得する撮影部と、該撮像データへのイメージデータの合成等の編集を行う編集部と、該編集された画像データの印刷を行う印刷部とが、従来の装置では何れも同一筐体の同じ側部に設けられていたものが、同一筐体の異なる側部に、又は、全く別個独立に設けられ、各構成要素は電気信号的に接続されている。
【００１４】
先ず、本発明に係る画像プリント供給装置の望ましい実施例としては、図１に示すとおり、筐体１には、一側部に複数の撮影手段２などが設けられた撮影部Ａと、これとは反対の側部に入力手段３や印刷手段５などが設けられた編集部Ｂ及び印刷部Ｃとが存在する。図面では、撮影手段２は筐体１に３個と天井に１個の計４個が記されているが、この数や配置については図示したものに限定されない。また、入力手段３やその操作部４等を有する編集部Ｂや、印刷手段を有する印刷部Ｃについても、図面ではそれぞれ１個が示されているが、編集や印刷の効率性を高めるため、これらを２個以上設けても良い。
【００１５】
図１に示す実施例をより具体化したものが図３及び図４に示す態様である。図３は主に本発明の分離型画像プリント供給装置における撮影部Ａ側を説明したもので、筐体１の一側面上に複数（図面では３個）の撮影手段２が異なる高さで設けられており、また、利用者を頭上から撮影するために天井に設けられる１個の撮影手段２が設けられている。更に、撮影の状況を確認するためのモニター７と、コインを投入したり、前記複数の撮影手段の中から所望とする撮影手段を選択したり、撮影を指示するなど、撮影の作業を行うための操作部８が設けられている。      
【００１６】
図面ではまた、被写体となる利用者を明るくて照らし出すために同一側面上の余白部や天井部に設けられた複数の照明装置１１や、操作の指示音声やミュージックを出力するための複数（図面では２個）のスピーカー１２が設けられている。なお、撮影部Ａには、主たる映像や撮影情報を確認するためのモニター７とは別に、各撮影手段２毎にその近傍にサブモニター１３が設けられており、選択した撮影手段の方向を向いたまま構図やポーズ、表情などがチェックできるようになっている。
【００１７】
図４は主に本発明の分離型画像プリント供給装置における編集部Ｂ側及び印刷部Ｃ側を説明したもので、前記撮影部Ａが設けられる筐体１の側面とは反対側の側面に当たり、編集部Ｂには複数（図面では２個）の入力手段３とその操作部４が設けられている。入力手段３は入力タッチペン、操作部４はデジタイザーなどの座標入力装置の採用が予定され、操作部４に画面表示される各種項目の選択や、らくがきデータの作成、及び、これらイメージデータと撮像データの合成等の作業がここで行われることになるが、これら作業を実行し得るものであれば、必ずしも如上の手段に限定されない。
【００１８】
印刷部Ｃは、図面では、２個の操作部４の中間に位置して、１個の印刷手段５が筐体１の内部の設けられており、そのプリント排出口６が筐体１の側面に現出しているだけである。なお、複数の印刷手段を筐体１に内蔵する場合は、その数に見合ったプリント排出口６が現出することになる。また、図示した実施例では、印刷手段５とプリント排出口６とからなる印刷部Ｃは筐体１と一体に構成されているが、撮影部Ａと編集部Ｂを備えた筐体を複数設置し、印刷部Ｃだけを分離して単体設置し、全ての筐体で作成された画像データの印刷を一手に引き受けるようにすることで、装置や設置のコストを削減できるほか、筐体１をより小型化できるため、娯楽施設への複数台の配置が容易に行える。
【００１９】
図示した実施例では、２個の操作部４の各上部に操作の指示音声やミュージック等を出力するためのスピーカー１４が設けられており、操作部４の表示画面を他人の目から守るためのカーテン１５が設けられている。更に、図示した実施例では、前記した撮影部Ａ側には、撮影部Ａが設けられる筐体１の側部を含む四方を壁面で囲むための骨組み１０が形成されており、該骨組み１０に沿ってブロックやシートで被覆することで、外部から隔絶された撮影ルーム９を形成することができる。なお、撮影ルーム９については、外部とシャットアウトできるものであれば、図示したものに限定されず、プラスチックやＦＲＰ等で一体成形したものでも、また、宙から四方を囲む暗幕を吊り下げただけのものでも良い。
【００２０】
次に、図２に基づいて、本発明に係る分離型画像プリント供給装置のシステム構成を説明する。本発明は撮影部Ａと編集部Ｂ及び印刷部Ｃを分離し、それぞれが電気信号的に接続していることを原則とするが、前記したとおり、製造コストや娯楽施設等への設置の容易性を考慮した場合、撮影部Ａと編集部Ｂ及び印刷部Ｃの全てが同一の筐体の異なる側部に設けてあることが望ましく、更なる設置コストの低減や設置の容易性を望む場合は、印刷部Ｃを筐体とは別個独立に設け、全ての筐体から出力される画像データを印刷処理させることが望ましい。
【００２１】
撮影部Ａ側の構成要素として、装置の利用に当たってコインを投入するためのコイン投入口を含む課金装置１６、利用者の撮像データを取得する１又は２以上の撮影手段２、該撮影手段２によって取得された撮像データを中継するためのサテライトボード１７、該サテライトボード１７を中継して送られた撮像データを画面表示するためのモニター７と撮影手段２の数に応じたサブモニター１３、ＰＣ１９や前記サテライトボード１７との間で各種指令を制御するコントロールボード１８、該コントロールボード１８を介して指令を遣り取りする操作ボタンやサービスパネルからなる操作部８、その他、照明装置１１やスピーカー１２などが存在するが、撮影部Ａ側には撮影手段２とその操作を行う操作部８のみが現出し、編集や印刷を行うための作業要素が現出されない点に構成上の特徴を有している。
【００２２】
なお、撮影を行うことのできる撮影猶予時間（Ｔ１）と編集を行うことのできる編集猶予時間（Ｔ２）はＰＣ１９内のタイムテーブルに予め設定されており、撮影部Ａ及び編集部Ｂでの作業開始の検出データを受けて、それぞれカウントダウンが開始される。編集猶予時間（Ｔ２）がカウントダウンにより０になると、その時点での撮影猶予時間（Ｔ１）の残余時間（Ｔ３）が読み出され、その時間分だけ前記タイムテーブル上のカウントを復帰させることによって、編集時間が延長されることになる。
【００２３】
編集部Ｂ側の構成要素としては、撮影部Ａで取得された利用者の撮像データや、ＰＣ１９の記憶部から読み出したフレームデータやタイトルデータ、又は、任意に書き込んだらくがきデータ等のイメージデータ、更には、これらデータを合成した画像データを出力表示したり、各種の指示・選択画面を表示するためのタブレットからなる操作部４と、該操作部４上をポインティングすることで前記書き込みや選択を行うための入力ペンからなる入力手段３が存在し、編集部Ｂ側には前記した各種データの表示や合成等の編集を行うための入力手段３と操作部４のみが現出し、撮影を行うための作業要素が現出されない点に構成上の特徴を有している。なお、印刷部Ｃを筐体１とは独立して設けた場合は、撮影を行うための作業要素のみならず、印刷を行うための作業要素も現出しない。
【００２４】
印刷部Ｃの構成要素としては、前記撮影部Ａで取得された利用者の撮像データに対して、前記編集部Ｂにおいて各種イメージデータとの合成等の編集がなされた画像データを印刷するための印刷手段５が存在し、印刷部Ｃ側には印刷されたプリントを排出するためのプリント排出口６が現出するのみで、利用者の撮像データを撮影・取得するための作業要素が現出されない点に構成上の特徴を有している。なお、印刷部Ｃを筐体１とは独立して設けた場合は、撮影を行うための作業要素のみならず、編集を行うための作業要素も現出しない。
【実施例】
【００２５】
撮影部Ａでの作業
以下、本発明に係る分離型画像プリント供給装置を用いて画像データのプリント供給を行う場合の作業手順を、図面に基づいて説明する。先ず、本装置の運営者は、利用者への利用に供するため、装置の電源をＯＮにし、利用を可能にするための初期処理を行う。本装置の初期処理が完了すると、撮影プログラムが立ち上げられ、利用者による撮影が可能な状態となる。
【００２６】
本装置を用いて画像プリントを行いたいと希望する利用者は先ず、撮影ルーム９の中に入り、所定のコインを操作部８付近に設けられたコイン投入口（図示しない）に投入する。コイン投入によりクレジットが成立すると（図中「Ｙｅｓ」）、撮影手段２による利用者の撮影が可能な状態となり、同時に、予め設定された撮影の猶予時間のカウントダウンが開始する（図中「タイムＴ１カウントダウンスタート」）。例えば、撮影のための猶予時間を３分と設定した場合は、この時点でゼロに向けてカウントダウンが開始することになる。なお、クレジットが成立しないときは、前記した初期処理による撮影プログラム立ち上げ後の段階に戻り、再び利用者によるコイン投入を待機する状態となる。
【００２７】
撮影の猶予時間のカウントダウンが開始すると、利用者は操作部８に設けられた撮影モードの選択ボタン（図示しない）をプッシュして、所望とする撮影モードを選択する。図示した実施例では、利用者の正面に設けられた撮影手段２により通常の撮影を行う「ノーマルモードオペレーション」と、恰もカメラマンが利用者をモデルとして撮影するが如く、スピーカー１２から発せられるポーズ指示等のナレーションに従って、各所に設けられた複数の撮影手段２がランダム又はアットランダムに撮影を行う「カメラマンモードオペレーション」とがプログラムされているので、希望の撮影モードを選択し、ポジションＰ１に移動する。その際、モニター７に各撮影モードの内容が分かるよう、説明画面が表示されるようにしても良い。なお、図示した実施例では、撮影手段２は低・中・高の高さに応じた３個のカメラと、被写体を頭上から撮影するために天井に設けられた１個のカメラの、計４個が設けられているが、その数や配置については必ずしもこれに限定されない。
【００２８】
撮影モードが選択されると、各モード毎にプログラムされた内容で撮影が行われ、利用者の撮像データが取得される。なお、前記したとおり、撮影のための猶予時間は予め設定されており、「カメラマンモードオペレーション」はプログラムに従って、所定の時間内で全ての撮影が終了するよう設定されているが、「ノーマルモードオペレーション」の場合は、例えば、撮影の猶予時間（図中「Ｔ１」）が３分に設定されている場合は、この残存時間が「０」になるまで何度でも繰り返して撮影を行うことができる（図中「Ｎｏ」）。設定された撮影の猶予時間が満了すると（図中「Ｔ１＝０」）、その旨の信号が発せられ（図中「Ｙｅｓ」）、撮影が終了することになる（図中「撮影終了」）。また、複数の撮影手段２の近傍にはそれぞれサブモニター１３が設けられており、モニター７を見ずとも、各撮影手段２を向いたまま表情やポーズが確認できるようになっている。
【００２９】
撮影が終了すると、撮影部Ａを出て編集部Ｂに移動するよう、移動指示がモニター７に表示されるので、利用者はその指示に従ってポジションＰ１からポジションＰ２に場所を移動することになる（図中「場所の移動指示」）。その後、撮影手段２にて取得された利用者の撮像データはＰＣ１９の記憶部にて保存され、編集部Ｂでの編集を待つことになる（図中「画像データの転送ｏｒ一時保存」）。なお、図示した実施例では、「画像データの転送ｏｒ一時保存」の段階が利用者への「場所の移動指示」の後となっているが、その先後についてはこれに限定されず、両者を入れ替えても構わない。かくして、撮影部Ａにおける一連の撮影処理が終了すると、設定された撮影の猶予時間（Ｔ１）が初期値（３分に設定した場合は３分）に復帰し、新たな利用者によるコイン投入を待機することになる（図中「タイムＴ１セット」）。
編集部Ｂでの作業
【００３０】
撮影部Ａでの撮影処理が終了し、利用者が編集部ＢのポジションＰ２に移動した時点では、図６に示すように、その前の利用者による編集処理が初期化され（図中「らくがき画面初期処理」）、ＰＣ１９の記憶部に保存された撮像データが読み込まれ、タブレット等の操作部４に表示されることになる（図中「画像データの読み込み」）。なお、撮影手段２により取得した撮像データを操作部４に画面表示するタイミングは、その前の利用者による編集が終了し、場所移動の指示が発せられた時点（図５中「場所の移動指示」）や、入力手段３による操作部４への編集開始の指示入力等がきっかけとなる。また、図示した実施例では、編集部Ｂは撮影部Ａが設けられると同一の筐体１の異なる側部に設けられているが、両者を完全に分離し、撮影部Ａとは別個の構成としても良い。
【００３１】
取得した利用者の撮像データが操作部４に画面表示されると（図中「画像データの読み込み」）、これと同時に、設定された編集のための猶予時間（図中「Ｔ２」）のカウントダウンが開始する（図中「タイムＴ２カウントダウン」）。例えば、編集のための猶予時間（Ｔ２）を３分に設定した場合は、この時点からゼロに向けてカウントダウンが開始することになる。そこで、ポジションＰ２に移動している利用者は、操作部４に表示される撮像データ上に、呼び出した各種フレームデータやタイトルデータ、又は、入力手段３を用いて書き込んだらくがき等のイメージデータを合成したり、色調を変えるなどの編集を行う（図中「らくがき」）。なお、設定された編集のための猶予時間（Ｔ２）が満了するまでは（図中「Ｎｏ」）、利用者は何度でも繰り返して編集作業を行うことができる。
【００３２】
かくして、設定された編集のための猶予時間（Ｔ２）が満了によりゼロに至ると（図中「Ｔ２＝０」）、次いで、撮影部Ａでの撮影のための猶予時間（Ｔ１）の値が読み込まれる（図中「タイムＴ１の値読み込み」）。これは、編集部Ｂで編集作業をしている間に、新たな利用者が撮影部Ａにて撮影を開始した場合、撮影のための猶予時間（Ｔ１）が満了するまでに暫く余裕があるときは、その残余時間分（Ｔ３）を延長して更に編集作業が行えるようにしたもので、撮影部Ａと編集部Ｂを分離型とした本発明により達成された特徴の一つである。例えば、撮影のための猶予時間（Ｔ１）と編集のための猶予時間（Ｔ２）をそれぞれ３分に設定した場合、編集部Ｂでの編集作業が２分を経過したところで、撮影部Ａで新たな利用者による撮影が開始した場合は、編集の猶予時間（Ｔ２）の３分が満了した時点では、撮影の猶予時間（Ｔ１）は１分が経過したところであり、２分の残余時間（Ｔ３）を有するため、その残余時間（Ｔ３）を延長時間として編集作業に充てられるようにすることで、実質的に編集時間を延長し、編集により多くの時間を掛けられるようにし、利用者の満足度が高められるようにしたものである。
【００３３】
しかしながら、撮影部Ａでの撮影の残余時間（Ｔ３）が僅かである場合は、編集部Ｂでの編集時間を延長することにより、却って混乱を招く虞があるため、延長の許可・不許可については一定の基準値を設けておくことが望ましい。図示した実施例では、その基準値（ａ）を前記混乱を招かない程度の時間値として設定し、その値と撮影の猶予時間（Ｔ１）の残余時間（Ｔ３）とを対比させ、残余時間（Ｔ３）の値の方が大きい場合は（図中「Ｔ３＞ａ」）、編集時間の延長につき許可の決定がなされ、利用者には延長を希望するか否かの選択ができるようにしてある（図中「らくがき延長選択」）。例えば、撮影と編集の各猶予時間（Ｔ１及びＴ２）をそれぞれ３分に設定し、編集作業に２分を費やしたところで新たな利用者による撮影が開始した前記ケースにおいて、基準値（ａ）を３０秒に設定した場合は、編集のための猶予時間（Ｔ２）が満了した時点で、撮影のための猶予時間（Ｔ１）の残余時間（Ｔ３）が２分あるため、「２分（Ｔ３）＞３０秒（ａ）」の対比の結果、Ｔ３の値の方が大きいため、編集時間の延長につき許可の決定がなされて（図中「Ｙｅｓ」）、利用者は延長を希望するか否かの選択を行えるようになる（図中「らくがき延長選択」）。
【００３４】
この段階において、利用者が延長を選択した場合は（図中「Ｙｅｓ」）、再び、各種イメージとの合成等の編集作業が可能となり（図中「らくがき」）、撮影部Ａでの撮影の猶予時間（Ｔ１）の残余時間（Ｔ３）が満了するまで（図中「Ｔ３＝０」）、繰り返し(図中「Ｎｏ」)、編集部Ｂで編集作業を行うことができる。かくして、撮影部Ａでの撮影の猶予時間（Ｔ１）が満了すると（図中「Ｙｅｓ」）、プリントするシートの分割数を選択すると（図中「シート分割数選択」）、編集部Ｂでの編集が終了すると共に（図中「らくがき終了」）、編集により作成された画像データが印刷部Ｃに送られ、印刷手段５により選択した分割数でプリント排出口６からプリントアウトされることになる（図中「プリントアウト」）。プリントアウトが終了すると、編集のための猶予時間（Ｔ２）が初期値（３分に設定した場合は３分）に復帰し（図中「タイムＴ２セット」）、新たな利用者による編集開始を待機することになる（図中「らくがき画面初期処理」）。なお、前記したケースにおいて、撮影部Ａでの撮影の猶予時間（Ｔ１）の残余時間（Ｔ３）よりも基準値（ａ）の値の方が大きい場合（図中「Ｎｏ」）、及び、前記残余時間（Ｔ３）の方が基準値（ａ）の値より大きいために編集時間の許可の決定がなされたにも拘わらず延長を選択しなかった場合（図中「Ｎｏ」）は、編集により作成した画像データをプリントする分割数を選択する段階に移行する（図中「シート分割数選択」）。
【００３５】
なお、撮影した利用者の撮像データを編集することで作成した画像データを印刷する印刷部Ｃは、図１及び図４では筐体１の編集部Ｂが設けられると同じ側部に設けられているが、同一筐体の異なる側部に設けたり、又は、撮影部Ａや編集部Ｂが設けられる筐体とは完全に分離した、別個の構成としても良い。具体的には、撮影部Ａと編集部Ｂを同一筐体の異なる側部に設け、印刷部Ｃを独立の構成とすることで、筐体の小型化が可能となる。加えて、該筐体を娯楽施設に複数台設置し、これら全ての筐体の編集部で作成された画像データを、別個に独立した１つの印刷部Ｃでプリントすることで、低コスト化が図れ、また、装置の配置デザインも行い易くなるといったメリットがある。
【００３６】
加えて、編集部で編集中に、新たな利用者が撮影部で撮影を開始した場合に、編集のための猶予時間（Ｔ２）が満了したとしても、その撮影のために猶予される時間（Ｔ１）の残余時間分（Ｔ３）を編集時間に充てられるようにすることで、編集のための猶予時間（２）を実質的に延長できるといったメリットがある。これにより、極端にいえば、撮影部にて新たな利用者が撮影を開始しない限り、編集の時間を無制限に延長することができることになる。
【産業上の利用可能性】
【００３７】
本発明では、設定された編集のための猶予時間が満了しても、新たな利用者が撮影部で撮影を開始した場合に、設定された撮影のための猶予時間の残余時間分を延長時間として編集に充てられるため、十分な余裕をもって編集を行うことができる。また、このように撮影時間と編集時間がクロスされることで、撮影部で新たな利用者が撮影を開始しない限り、編集時間が無制限に延長されるため、利用の回転効率を高めつつ、編集のために有効に時間を使うことができる。
【００３８】
また、本発明では、撮影部と編集部、更には、印刷部を、同一筐体の異なる側部に設けたことで、筐体の小型化が可能となったほか、娯楽施設への設置に関してコストダウンも図れるようになった。
【図面の簡単な説明】
【００３９】
【図１】本発明に係る分離型画像プリント供給装置の実施例を示す概略説明図である。
【図２】本発明に係る分離型画像プリント供給装置の内部構造を示すシステム図である。
【図３】撮影部と編集部及び印刷部を同一筐体の異なる側部に設けた場合の実施例を示す概略説明図である。
【図４】撮影部の四方を壁面で囲み、編集部を２ヵ所設けた場合の実施例を示す概略説明である。
【図５】本発明に係る分離型画像プリント供給装置を用いて撮影処理を行う場合の手順を示すフローチャートである。
【図６】本発明に係る分離型画像プリント供給装置を用いて編集処理及び印刷処理を行う場合の手順を示すフローチャートである。
【符号の説明】
【００４０】
１    筐体
２    撮影手段
３    入力手段
４    操作部
５    印刷手段
６    プリント排出口
７    モニター
８    操作部
９    撮影ルーム
１０    骨組み
１１    照明装置
１２    スピーカー
１３    サブモニター
１４    スピーカー
１５    カーテン
１６    課金装置
１７    サテライトボード
１８    コントロールボード
１９    ＰＣ
Ａ    撮影部
Ｂ    編集部
Ｃ    印刷部
Ｐ１    撮影部のポジション
Ｐ２    編集部のポジション
Ｔ１    撮影のための猶予時間
Ｔ２    編集のための猶予時間
Ｔ３    撮影猶予時間の残余時間
【図１】
2005253113.tif 000003
【図２】
2005253113.tif 000004
【図３】
2005253113.tif 000005
【図４】
2005253113.tif 000006
【図５】
2005253113.tif 000007
【図６】
2005253113.tif 000008